(57)【要約】      （修正有）【課題】外部に対する気密性を維持しつつ、内部の各部位間の通気性を高めた防護服を提供する。【解決手段】本発明の防護服は、外袖２および内袖３の二重構造を有する腕部を備える防護服であって、前記内袖の内側に複数のスペーサー７を設け、前記スペーサーは、隣り合うスペーサーと間隔をあけて設けられている。【選択図】図１
2015040367.tif 000002
【特許請求の範囲】
【請求項１】
外袖および内袖の二重構造を有する腕部を備える防護服であって、
前記内袖の内側に複数のスペーサーを設け、
前記スペーサーは、隣り合うスペーサーと間隔をあけて設けられていること
を特徴とする防護服。
【請求項２】
外袖および内袖の二重構造を有する腕部を備える防護服であって、
前記内袖の内側に複数のスペーサーを設け、
前記複数のスペーサーの各々には通気口が設けられていること
を特徴とする防護服。
【請求項３】
前記内袖の外側に、面ファスナーが設けられていることを特徴とする請求項１または２に記載の防護服。
【請求項４】
開口部を備えた手袋であって、当該開口部の内側に面ファスナーが設けられている手袋を有していることを特徴とする請求項１乃至は３のいずれか一項に記載の防護服。
【請求項５】
外裾および内裾の二重構造を有する足部を備える防護服であって、
前記内裾の内側に複数のスペーサーを設け、
前記スペーサーは、隣り合うスペーサーと間隔をあけて設けられていること
を特徴とする防護服。
【請求項６】
外裾および内裾の二重構造を有する足部を備える防護服であって、
前記内裾の内側に複数のスペーサーを設け、
前記複数のスペーサーの各々には通気口が設けられていること
を特徴とする防護服。
【請求項７】
前記内裾の外側に、面ファスナーが設けられていることを特徴とする請求項５または６に記載の防護服。
【請求項８】
開口部を備えた長靴であって、当該開口部の内側に面ファスナーが設けられている長靴を有していることを特徴とする請求項５乃至は７のいずれか一項に記載の防護服。
【発明の詳細な説明】
【技術分野】
【０００１】
本発明は、防護服に関するものであり、特に、二重構造を有する腕部を備える防護服、および、二重構造を有する脚部を備える防護服に関するものである。
【背景技術】
【０００２】
従来から、気密性が要求される防護服においては、防護服の上着の腕部に内袖と外袖とからなる二重袖口構造を設けることで、手袋を着用した場合であっても腕部の内部に外部からの物質が侵入することを防いでいた（例えば、特許文献１）。
【０００３】
また、上記特許文献１に記載の二重袖口構造は、内袖をポリエステル系合成繊維やポリウレタン系弾性繊維、その他の伸縮性素材とするとともに、内袖の円錐面に１個の親指導出部を開口させて、その親指導出口へ手の親指を差し込むことにより、上記内袖を外袖から引き伸ばし露出させた着用状態に保つものである。
【先行技術文献】
【特許文献】
【０００４】
【特許文献１】実用新案登録第３１２５２８５号公報
【発明の概要】
【発明が解決しようとする課題】
【０００５】
しかしながら、上記特許文献１に記載の二重袖口構造は、内袖は伸縮素材を用いていることにより、内袖が着用者の腕回りに密着することになり、腕部内部と手袋内部との間の通気性を確保することが難しくなる。
【０００６】
したがって、本発明の目的は、上記問題を解決し、外部に対する気密性を高めつつ、各部位内部のそれぞれの間の通気性を高めた防護服を提供することにある。
【課題を解決するための手段】
【０００７】
本発明の防護服は、外袖および内袖の二重構造で構成される袖部を有する腕部を備える防護服であって、内袖の内側に複数のスペーサーを設け、スペーサーは、隣り合うスペーサーと間隔をあけて設けられていることを特徴とする。
【０００８】
本発明の防護服は、外袖および内袖の二重構造で構成される袖部を有する腕部を備える防護服であって、内袖の内側に複数のスペーサーを設け、複数のスペーサーの各々には通気口が設けられていることを特徴とする。
【０００９】
防護服は、内袖の外側に、面ファスナーが設けられているのが好ましい。
【００１０】
防護服は、開口部の内側に面ファスナーが設けられている手袋を有していることが好ましい。
【００１１】
本発明の防護服は、外裾および内裾の二重構造で構成される裾部を有する足部を備える防護服であって、内裾の内側に複数のスペーサーを設け、スペーサーは、隣り合うスペーサーと間隔をあけて設けられていることを特徴とする。
【００１２】
本発明の防護服は、外裾および内裾の二重構造で構成される裾部を有する足部を備える防護服であって、内裾の内側に複数のスペーサーを設け、複数のスペーサーの各々には通気口が設けられていることを特徴とする。
【００１３】
防護服は、内裾の外側に、面ファスナーが設けられていることが好ましい。
【００１４】
防護服は、開口部の内側に面ファスナーが設けられている長靴を有していることが好ましい。
【発明の効果】
【００１５】
本発明の防護服によれば、外袖および内袖の二重構造で構成され、内袖の内側に複数のスペーサーが間隔をあけて設けられているため、このような構成を有さない場合と比べ、外部に対する気密性を高めつつ、袖部と手袋とのそれぞれの内部の通気性を高めることができる。
【００１６】
本発明の別の防護服によれば、外袖および内袖の二重構造で構成され、内袖の内側に設けられた複数のスペーサーのそれぞれに通気口が設けられているため、外部に対する気密性を維持しつつ、袖部と手袋とのそれぞれの内部の通気性を高めることができる。
【００１７】
また、防護服の内袖の外側に、面ファスナーが設けられているため、袖部と手袋とのズレを防ぐことができる。
【００１８】
さらに、防護服が、開口部の内側に面ファスナーが設けられている手袋を有することで、袖部と手袋とのズレを防ぐことができる。
本発明の防護服によれば、外裾および内裾の二重構造で構成され、内裾の内側に複数のスペーサーが間隔をあけて設けられているため、このような構成を有さない場合と比べ、外部に対する気密性を高めつつ、裾部と長靴とのそれぞれの内部の通気性を高めることができる。
【００１９】
本発明の別の防護服によれば、外裾および内裾の二重構造で構成され、内裾の内側に設けられた複数のスペーサーのそれぞれに通気口が設けられているため、外部に対する気密性を維持しつつ、裾部と長靴とのそれぞれの内部の通気性を高めることができる。
【００２０】
また、防護服の内裾の外側に、面ファスナーが設けられているため、裾部と長靴とのズレを防ぐことができる。
【００２１】
さらに、防護服が、開口部の内側に面ファスナーが設けられている長靴を有することで、裾部と長靴とのズレを防ぐことができる。
【図面の簡単な説明】
【００２２】
【図１】第１の実施形態に係る防護服の手袋を装着した状態の腕部と手袋とを示した図
【図２】第２の実施形態に係る防護服の長靴を装着した状態の脚部と長靴とを示した図
【図３】第３の実施形態に係る防護服の手袋を装着した状態の腕部と手袋とを示した図
【図４】第４の実施形態に係る防護服の長靴を装着した状態の脚部と長靴とを示した図
【図５】第５の実施形態に係る防護服の手袋を装着した状態の腕部と手袋とを示した図
【図６】第６の実施形態に係る防護服の長靴を装着した状態の脚部と長靴とを示した図
【発明を実施するための形態】
【００２３】
（第１の実施形態）
以下、本発明の実施の形態を添付の図により説明する。図１に手袋を防護服の上着の腕部における袖部に装着した状態を示す（なお、説明のため、防護服の上着における腕部以外の各箇所は省略して示している）。
【００２４】
腕部１は、防護服の上着の一部分であって、外袖２および内袖３の二重構造を有する。
【００２５】
外袖２は、内袖３又は袖部４と縫製又は接着により接合され、装着時には、少なくとも内袖３及び手袋６の開口部６ａを外側から覆う。袖部４は、内袖３と一体的に構成されるものであるが、内袖３と袖部４とを別々な部材として形成し、それらを縫製又は接着材による接合で形成してもよい。外袖２は、例えばゴム素材などの任意の伸縮性素材で形成される。このため、外袖２は、装着時には、少なくとも内袖３及び手袋６の開口部６ａを外側から押さえつけることが可能となり、外部から手袋６又は内袖３等の内部への塵、埃、又は水分等の侵入を防ぐことができ、このような構成を有さない場合と比べ、気密性を高めることが可能となる。
【００２６】
内袖３は、腕部１の先端部分の一部、つまりは、図示しない腕部１の上着付け根部とは反対方向の端部として形成される。
【００２７】
内袖３、袖部４、及び図示しない上着において、難燃性をもつ繊維、例えばポリアミドを用い、その上に金属蒸着、例えばアルミニウム蒸着させる構成をとることができる。これにより、耐熱性を付与するとともに、表面の織り目の凹凸を少なくすることで、外部からの不純物が繊維に付着し難くすることができる。
【００２８】
面ファスナー５は、ループ面とフック面のペアで構成される。例えば、内袖３の外側に面ファスナー５のループ面を縫製又は接着材により接合し、手袋６の開口部６ａの内側に面ファスナー５のフック面を縫製又は接着材により接合する。この場合、ループ面における内袖３との接合面とは逆の面と、フック面における開口部６ａとの接合面とは逆の面とをそれぞれ合わせることにより、内袖３の外側の面と開口部６ａの内側の面とを間接的に結合することができ、内袖３と手袋６（又は開口部６ａ）とのズレを防止することが可能となる。なお、内袖３の外側に面ファスナー５のフック面を、手袋６の開口部６ａの内側に面ファスナー５のループ面をそれぞれ縫製又は接着材により接合した場合も、同様にして内袖３の外側の面と開口部６ａの内側の面とを接合することができる。面ファスナー５としては、例えば、商品名：マジックテープ（登録商標）などを用いることができる。また、面ファスナー５として、ループ面とフック面の区別のないタイプのもの、例えば、商品名：フリーマジック（登録商標）などを用いてもよい。この場合、内袖３の外側と、開口部６ａの内側とのそれぞれにループ面とフック面との区別なく縫製又は接着材により面ファスナー５を接合すればよいことはいうまでもない。
【００２９】
手袋６は、開口部６ａを有し、難燃性をもつ繊維、例えばポリアミドを用い、その上に金属蒸着、例えばアルミニウム蒸着させる構成をとることができる。これにより、耐熱性を付与するとともに、表面の織り目の凹凸を少なくすることで、外部からの不純物が繊維に付着し難くすることができる。
【００３０】
スペーサー７は、内袖３の内側に縫製又は接着材により接合される。また、スペーサー７は、内袖３の内側に所定の間隔をあけながら複数備えられる。このような構成とすることで、隣り合うスペーサー７とスペーサー７との間に所定の空間を確保しやすくなるため、このような構成を有さない場合と比べ、袖部４の内部Ａと手袋６の内部Ｂの間の通気性を高めることができる。スペーサー７は、例えば、ウレタン素材によって角柱に形成される。なお、スペーサー７は、内袖３および袖部４の内部Ａと手袋６の内部Ｂの間の通気性を高めることができるものであれば、ウレタン素材に限らずどのような素材を用いても構わないし、どのような形状にしても構わない。
【００３１】
図１において、着用者はアンダーシャツ８を着用した上から防護服の上着を着用している状態を示しているが、アンダーシャツ８を着用せずに防護服の上着を着用できることはいうまでもない。
【００３２】
（第２の実施形態）
本発明の第２の実施の形態を図２に示す。図２は長靴を防護服のズボンの脚部における裾部に装着した状態を示す（なお、説明のため、防護服のズボンにおける脚部以外の各箇所は省略して示している）。
【００３３】
脚部１１は、防護服のズボンの一部分であって、外裾１２および内裾１３の二重構造を有する。
【００３４】
外裾１２は、内裾１３又は裾部１４と縫製又は接着により接合され、装着時には、少なくとも内裾１３及び長靴１６の開口部１６ａを外側から覆う。裾部１４は、内裾１３と一体的に構成されるものであるが、内裾１３と裾部１４とを別々な部材として形成し、それらを縫製又は接着材による接合で形成してもよい。外裾１２は、例えばゴム素材などの任意の伸縮性素材で形成される。このため、外裾１２は、装着時には、少なくとも内裾１３及び長靴１６の開口部１６ａを外側から押さえつけることが可能となり、外部から長靴１６又は内裾１３等の内部への塵、埃、又は水分等の侵入を防ぐことができ、このような構成を有さない場合と比べ、気密性を高めることが可能となる。
【００３５】
内裾１３は、脚部１１の先端部分の一部、つまりは、図示しない脚部11のズボン付け根部とは反対方向の端部として形成される。
【００３６】
内裾１３、裾部１４、及び図示しないズボンにおいて、難燃性をもつ繊維、例えばポリアミドを用い、その上に金属蒸着、例えばアルミニウム蒸着させる構成をとることができる。これにより、耐熱性を付与するとともに、表面の織り目の凹凸を少なくすることで、外部からの不純物が繊維に付着し難くすることができる。
【００３７】
面ファスナー１５は、ループ面とフック面のペアで構成される。例えば、内裾１３の外側に面ファスナー１５のループ面を縫製又は接着材により接合し、長靴１６の開口部１６ａの内側に面ファスナー１５のフック面を縫製又は接着材により接合する。この場合、ループ面における内裾１３との接合面とは逆の面と、フック面における開口部１６ａとの接合面とは逆の面とをそれぞれ合わせることにより、内裾１３の外側の面と開口部１６ａの内側の面とを間接的に結合することができ、内裾１３と長靴６（又は開口部１６ａ）とのズレを防止することが可能となる。なお、内裾１３の外側に面ファスナー１５のフック面を、長靴１６の開口部１６ａの内側に面ファスナー１５のループ面をそれぞれ縫製又は接着材により接合した場合も、同様にして内裾１３の外側の面と開口部１６ａの内側の面とを接合することができる。面ファスナー１５としては、例えば、商品名：マジックテープ（登録商標）などを用いることができる。また、面ファスナー１５として、ループ面とフック面の区別のないタイプのもの、例えば、商品名：フリーマジック（登録商標）などを用いてもよい。この場合、内裾１３の外側と、開口部１６ａの内側とのそれぞれにループ面とフック面との区別なく縫製又は接着材により面ファスナー１５を接合すればよいことはいうまでもない。
【００３８】
長靴１６は、開口部１６ａを有し、難燃性をもつ繊維、例えばポリアミドを用い、その上に金属蒸着、例えばアルミニウム蒸着させる構成をとることができる。これにより、耐熱性を付与するとともに、表面の織り目の凹凸を少なくすることで、外部からの不純物が繊維に付着し難くすることができる。
【００３９】
スペーサー１７は、内裾１３の内側に縫製又は接着材により接合される。また、スペーサー１７は、内裾１３の内側に所定の間隔をあけながら複数備えられる。このような構成とすることで、隣り合うスペーサー１７とスペーサー１７との間に所定の空間を確保しやすくなるため、このような構成を有さない場合と比べ、内裾１３および裾部１４の内部Ｃと長靴１６の内部Ｄの間の通気性を高めることができる。スペーサー１７は、例えば、ウレタン素材によって角柱に形成される。なお、スペーサー１７は、内裾１３および裾部１４の内部Ｃと長靴１６の内部Ｄの間の通気性を高めることができるものであれば、ウレタン素材に限らずどのような素材を用いても構わないし、どのような形状にしても構わない。
【００４０】
図２において、着用者はアンダーシャツ１８を着用した上から防護服のズボンを着用している状態を示しているが、アンダーシャツ１８を着用せずに防護服のズボンを着用できることはいうまでもない。
【００４１】
（第３の実施形態）
第３の実施形態に係る防護服を図３に示す。腕部２１は、第１の実施形態において前述した腕部１と基本的には同一の構成を有するが、異なる構成について、説明する。スペーサー２２は、第１の実施形態におけるスペーサー７の代わりに設けられるものである。スペーサー２２は、複数が連続して接合されたものであり、各スペーサー２２には、スペーサー通気口２３が設けられている。このようにスペーサー通気口２３が設けられていることにより、このような構成を有さない場合と比べ、内袖３および袖部４の内部Ａと手袋６の内部Ｂの間の通気性を高めることができる。スペーサー２２は、例えば、ウレタン素材によって角柱に形成される。なお、スペーサー２２は、内袖３および袖部４の内部Ａと手袋６の内部Ｂの間の通気性を高めることができるものであれば、ウレタン素材に限らずどのような素材を用いても構わないし、どのような形状にしても構わない。
【００４２】
（第４の実施形態）
第４の実施形態に係る防護服を図４に示す。脚部３１は、第２の実施形態において前述した脚部１１と基本的には同一の構成を有するが、異なる構成について、説明する。スペーサー３２は、第２の実施形態におけるスペーサー１７の代わりに設けられるものである。スペーサー３２は、複数が連続して接合されたものであり、各スペーサー３２には、スペーサー通気口３３が設けられている。このようにスペーサー通気口３３が設けられていることにより、このような構成を有さない場合と比べ、内裾１３および裾部１４の内部Ｃと長靴１６の内部Ｄの間の通気性を高めることができる。スペーサー３２は、例えば、ウレタン素材によって角柱に形成される。なお、スペーサー３２は、内裾１３および裾部１４の内部Ｃと長靴１６の内部Ｄの間の通気性を高めることができるものであれば、ウレタン素材に限らずどのような素材を用いても構わないし、どのような形状にしても構わない。
【００４３】
（第５の実施形態）
第５の実施形態に係る防護服を図５に示す。腕部４１は、第１の実施形態において前述した腕部１と基本的には同一の構成を有するが、異なる構成について、説明する。スペーサー４２は、第１の実施形態におけるスペーサー７の代わりに設けられるものである。各スペーサー４２には、スペーサー通気口４３が設けられている。このようにスペーサー通気口４３が設けられていることにより、このような構成を有さない場合と比べ、内袖３および袖部４の内部Ａと手袋６の内部Ｂの間の通気性を高めることができる。つまり、第５の実施の形態に係る防護服においては、スペーサー４２が第1の実施形態と同様に内袖３の内側に所定の間隔をあけて複数配置されているのに加えて、各スペーサー４２自体にスペーサー通気口４３が設けられているため、内袖３および袖部４の内部Ａと手袋６の内部Ｂの間の通気性をより高めることができる。スペーサー４２は、例えば、ウレタン素材によって角柱に形成される。なお、スペーサー４２は、袖部４の内部Ａと手袋６の内部Ｂの間の通気性を高めることができるものであれば、ウレタン素材に限らずどのような素材を用いても構わないし、どのような形状にしても構わない。
【００４４】
（第６の実施形態）
第６の実施形態に係る防護服を図６に示す。脚部５１は、第２の実施形態において前述した脚部１１と基本的には同一の構成を有するが、異なる構成について、説明する。スペーサー５２は、第２の実施形態におけるスペーサー１７の代わりに設けられるものである。各スペーサー５２には、スペーサー通気口５３が設けられている。このようにスペーサー通気口５３が設けられていることにより、このような構成を有さない場合と比べ、内裾１３および裾部１４の内部Ｃと長靴１６の内部Ｄの間の通気性を高めることができる。つまり、第６の実施の形態に係る防護服においては、スペーサー５２が第２の実施形態と同様に内裾１３の内側に所定の間隔をあけて複数配置されているのに加えて、各スペーサー５２自体にスペーサー通気口５３が設けられているため、内裾１３および裾部１４の内部Ｃと長靴１６の内部Ｄの間の通気性をより高めることができる。スペーサー５２は、例えば、ウレタン素材によって角柱に形成される。なお、スペーサー５２は、裾部１４の内部Ｃと長靴１６の内部Ｄの間の通気性を高めることができるものであれば、ウレタン素材に限らずどのような素材を用いても構わないし、どのような形状にしても構わない。
【００４５】
（変形例）
以上、本発明の実施形態について述べたが、本発明は既述の実施形態に限定されるものではなく、本発明の技術的思想に基づいて各種の変形および変更が可能である。一例として、上記第１の実施形態、上記第３の実施形態、及び上記第５の実施形態では、手袋６は、袖部４と別々な部材からなるものとして説明したが、これに限られず手袋６は、袖部４と一体的な構造を形成するものでもよい。この場合の一体的な構造とは、手袋６と袖部４とが縫製又は接着により直接結合されているものを意味する。この場合は、外袖２、内袖３、及び、面ファスナー５は有さなくてもよい。なお、このように手袋６が袖部４と一体的な構造を形成する場合において、その他構成は、上記第１の実施形態、上記第３の実施形態、及び上記第５の実施形態におけるそれぞれの構成と同一となるため、説明は省略する。
【００４６】
また、上記第２の実施形態、上記第４の実施形態、及び上記第６の実施形態では、長靴１６は、裾部１４と別々な部材からなるものとして説明したが、これに限られず、長靴１６は、裾部１４と一体的な構造となっていてもよい。この場合の一体的な構造とは、長靴１６と裾部１４とが縫製又は接着により直接結合されているものを意味する。この場合は、外裾１２、内裾１３、及び、面ファスナー１５は有さなくてもよい。なお、このように長靴１６が裾部１４と一体的な構造を形成する場合において、その他構成は、上記第２の実施形態、上記第４の実施形態、及び上記第６の実施形態におけるそれぞれの構成と同一となるため、説明は省略する。
【符号の説明】
【００４７】
１      腕部
２      外袖
３      内袖
４      袖部
５      面ファスナー
６      手袋
６ａ    開口部
７      スペーサー
８      アンダーシャツ
１１    脚部
１２    外裾
１３    内裾
１４    裾部
１５    面ファスナー
１６    長靴
１６ａ  開口部
１７    スペーサー
１８    アンダーシャツ
１９    靴下
２１    腕部
２２    スペーサー
２３    スペーサー通気口
３１    脚部
３２    スペーサー
３３    スペーサー通気口
４１    腕部
４２    スペーサー
４３    スペーサー通気口
５１    脚部
５２    スペーサー
５３    スペーサー通気口
Ａ      袖部の内部
Ｂ      手袋の内部
Ｃ      裾部の内部
Ｄ      長靴の内部
【図１】
2015040367.tif 000003
【図２】
2015040367.tif 000004
【図３】
2015040367.tif 000005
【図４】
2015040367.tif 000006
【図５】
2015040367.tif 000007
【図６】
2015040367.tif 000008